(57)【特許請求の範囲】
【請求項１】
外部電力供給源と、再生可能エネルギー源と、分電盤と、を含む電力モニタリングシステムであって、
前記分電盤に電力を印加する外部電力供給源と、
電力を生成し、生成された前記電力を前記分電盤に印加する再生可能エネルギー源と、
前記外部電力供給源および前記再生可能エネルギー源のうち少なくとも一つから印加される電力を複数の負荷に分配する分電盤と、
前記外部電力供給源から電力が出力される、外部電力供給源が有する出力端に対して連結され、前記外部電力供給源から前記分電盤に印加される第１電力量データを取得する第１電力測定装置と、
前記分電盤の外部から電力が供給される入力端に対して連結され、前記分電盤から前記複数の負荷に分配される第２電力量データを取得する第２電力測定装置と、
前記再生可能エネルギー源から電力が出力される、前記再生可能エネルギー源が有する出力端に対して連結され、前記再生可能エネルギー源から前記分電盤に印加される第３電力量データを取得する第３電力測定装置と、
電力をモニタリングするサーバと、を含み、
前記サーバは、
前記第１電力量データおよび前記第２電力量データを収集し、収集した前記電力量データに基づいて前記第３電力量データを推定し、電力をモニタリングするか、または
前記第２電力量データおよび前記第３電力量データを収集し、収集した前記電力量データに基づいて前記第１電力量データを推定し、電力をモニタリングし、
前記第２電力量データは、前記複数の負荷の電力消費パターンを含み、
前記サーバは、前記複数の負荷の電力消費パターンを用いて、前記複数の負荷が消費する全体電力量を取得し、かつ、前記複数の負荷の電力消費パターンをＮＩＬＭ（Ｎｏｎ‐ｉｎｔｒｕｓｉｖｅ  Ｌｏａｄ  Ｍｏｎｉｔｏｒｉｎｇ）アルゴリズムを用いて分析することにより前記複数の負荷のうちの各負荷が消費する個別電力量を取得し、
前記サーバは、
前記第１電力量データ、前記第２電力量データおよび前記第３電力量データのうち少なくとも一つを収集する通信部と、
前記収集された電力量データを用いて電力をモニタリングし、前記第１電力測定装置の前記第１電力量データと前記第２電力測定装置の前記第２電力量データとの差（−）によって前記第３電力測定装置の前記第３電力量データを算出するか、または前記第２電力測定装置の前記第２電力量データと前記第３電力測定装置の前記第３電力量データとの差（−）によって前記第１電力測定装置の前記第１電力量データを算出する制御部と、
前記モニタリング結果と算出されたデータとを格納する格納部と、
前記モニタリング結果を出力する出力部と、を含む
電力モニタリングシステム。
【請求項２】
前記再生可能エネルギー源は、太陽光発電装置である、請求項１に記載の電力モニタリングシステム。
【発明の詳細な説明】
【技術分野】
【０００１】
本発明は、電力モニタリングシステムに関する。
【背景技術】
【０００２】
デジタル技術およびネットワーク技術の発展に伴い、生活家電および情報家電機器もまた、技術の融／複合化に応じて様々な機能を備えた形態に開発されている。また、各家庭および事務所では、かかるデジタル融／複合機器が広く普及されている。しかしながら、機能の融／複合化およびネットワーキング機能のサポートによって、かかる情報家電機器は、ユーザの要請による電力消費およびユーザの意図とは異なり、ユーザが認識しない間に待機電力が消費される。
【０００３】
しかしながら、ユーザは、自分のいかなる機器がいかなる特定期間の間にどれだけの電力を消費するのかを知ることができず、電気エネルギーの節約の必要性を感じることができない。
【０００４】
かかる問題点を解決するために、電子機器別のエネルギー消費モニタリング機能と関連して、家庭および建物の単位別に消費される電力量の総量を測定する電力測定装置によって電子機器別に特定の期間を定め、電力消費量および電力消費形態を分析およびモニタリングできる技術がある。
【０００５】
図１は従来の電力モニタリングシステムのブロック構成図である。
【０００６】
図１を参照すると、従来の電力モニタリングシステムにおいて、外部電力供給源１から各家庭３に供給される電力は、各家庭３ごとに設けられる分電盤２を介してコンセントに連結された家電機器に供給され得る。特に、分電盤２には、外部電力供給源１から供給される電力が家庭３内の家電機器においてどのように使用されるか、電力の使用状態および使用電力量を確認するための電力測定装置４が構成される。
【０００７】
上述の電力測定装置４は、家電機器の電力使用量および使用パターン情報を用いて遠隔地のサーバを介して個別モニタリングを行うことができる。
【０００８】
一方、近年、外部電力供給源１以外の発電源またはエネルギー源を用いて家庭３内の家電機器に電力を供給する事例が徐々に増加している傾向にある。ここで、外部電力供給源１以外の発電源またはエネルギー源の代表的な例としては、太陽光発電装置などの新・再生可能エネルギー源が挙げられる。
【０００９】
ただし、従来の電力モニタリングシステムは、システムに新・再生可能エネルギー源が連結され電力を供給する場合、新・再生可能エネルギー源からさらに供給される電力量を取得することができない。したがって、ユーザの立場では、家庭３内の家電機器だけでなく、新・再生可能エネルギー源からさらに流入される電力量まで考慮して、家庭での電力の生産および消費を総合的にモニタリングできないという問題点があった。
【発明の概要】
【発明が解決しようとする課題】
【００１０】
本発明は、上述の問題点を解決するためのものであり、本発明の目的は、従来の外部電力供給源以外にも新・再生可能エネルギー源が加えられた場合に、負荷に供給される電力に対する消費状態および新・再生可能エネルギー源の電力生産状態を総合的にモニタリングできる電力モニタリングシステムを提供することにある。
【課題を解決するための手段】
【００１１】
本発明の実施形態による、外部電力供給源と、新・再生可能エネルギー源と、分電盤と、を含む電力モニタリングシステムは、前記分電盤に電力を印加する外部電力供給源と、電力を生成し、前記生成された電力を前記分電盤に印加する新・再生可能エネルギー源と、前記外部電力供給源および前記新・再生可能エネルギー源のうち少なくとも一つから印加される電力を負荷に分配する分電盤と、前記外部電力供給源の出力端に連結され、前記外部電力供給源から前記分電盤に印加される第１電力量データを取得する第１電力測定装置と、前記分電盤の入力端に連結され、前記分電盤から前記負荷に分配される第２電力量データを取得する第２電力測定装置と、前記新・再生可能エネルギー源の出力端に連結され、前記新・再生可能エネルギー源から前記分電盤に印加される第３電力量データを取得する第３電力測定装置と、前記第１電力量データおよび前記第３電力量データのうち少なくとも一つと、前記第２電力量データに基づいて電力をモニタリングするサーバと、を含む。
【００１２】
一方、本発明の他の実施形態による、外部電力供給源と、新・再生可能エネルギー源と、分電盤と、を含む電力モニタリングシステムであって、前記分電盤に電力を印加する外部電力供給源と、前記外部電力供給源から印加される電力を負荷に分配する分電盤と、前記分電盤の出力端に連結され、電力を生成し、前記生成された電力を前記分電盤を介して前記負荷に印加する新・再生可能エネルギー源と、前記外部電力供給源の出力端に連結され、前記外部電力供給源から印加される電力量および前記負荷に分配される電力量のうち少なくとも一つを含む第１電力量データを検知する第１電力測定装置と、前記分電盤の入力端に連結され、前記外部電力供給源から印加される電力量および前記負荷に分配される電力量のうち少なくとも一つを含む第２電力量データを取得する第２電力測定装置と、前記新・再生可能エネルギー源の出力端に連結され、前記新・再生可能エネルギー源から印加される電力量データを取得する第３電力測定装置と、前記第１電力量データおよび前記第２電力量データのうち少なくとも一つと、前記第３電力量データに基づいて電力をモニタリングするサーバと、を含む。
【発明の効果】
【００１３】
本発明の実施形態による電力モニタリングシステムによれば、従来の外部電力供給源以外にも新・再生可能エネルギー源が加えられた場合に、負荷に供給される電力に対する消費状態および新・再生可能エネルギー源の電力生産状態を総合的にモニタリングできるという効果がある。
【図面の簡単な説明】
【００１４】
【図１】従来の電力モニタリングシステムのブロック構成図である。
【図２】本発明の実施形態の電力モニタリングシステムのブロック構成図である。
【図３】電力モニタリングシステムの電力モニタリング方法を説明するためのフローチャートである。
【図４】本発明の実施形態による電力モニタリングシステムの電力モニタリング方法を説明するためのフローチャートである。
【図５】本発明の実施形態による電力モニタリングシステムの電力モニタリング方法を説明するためのフローチャートである。
【図６】本発明の他の実施形態の電力モニタリングシステムのブロック構成図である。
【図７】本発明の他の実施形態の電力モニタリングシステムの電力モニタリング動作のフローチャートである。
【図８】本発明の他の実施形態の電力モニタリングシステムの電力モニタリング動作のフローチャートである。
【図９】本発明の他の実施形態の電力モニタリングシステムの電力モニタリング動作のフローチャートである。
【図１０】本発明の実施形態のモニタリングサーバのブロック構成図である。
【図１１】本発明の実施形態の電力モニタリング結果出力動作のフローチャートである。
【図１２】本発明の実施形態の電力モニタリング結果出力の例示図である。
【発明を実施するための形態】
【００１５】
以下、添付の図面を参照して本発明の好ましい実施形態による電力モニタリングシステムについて詳細に説明する。
【００１６】
図２は本発明の実施形態による電力モニタリングシステムのブロック構成図である。
【００１７】
図２を参照すると、本発明の実施形態による負荷電力モニタリングシステムは、モニタリングサーバ１０（サーバの一例）と、外部電力供給源１１０と、分電盤１２０と、電子機器１３０と、太陽光発電装置１４０と、を含む。特に、外部電力供給源１１０、分電盤１２０および太陽光発電装置１４０の出力端または入力端には、前記装置に流入または出力される電力量データを取得するための電力測定装置１５１、１５２、１５３を含んで構成することができる。
【００１８】
本発明の実施形態では、新・再生可能エネルギー源として太陽光発電装置１４０を例に挙げて説明しているが、これに限定されず、電力を生産し供給できるすべての新・再生可能エネルギー源に適用され得る。モニタリングサーバ１０は、電力測定装置１５１、１５２、１５３から測定された負荷および電力源の電力消費量、流入量または電力消費パターンを含む電力量データを取得することができる。また、モニタリングサーバ１０は、取得されたデータに基づいてシステム全体の供給電力、システム全体の消費電力、システム内の個別負荷の消費電力および動作状態をモニタリングし出力することができる。
【００１９】
図１０は本発明の実施形態によるモニタリングサーバのブロック構成図である。
【００２０】
図１０を参照すると、本発明の実施形態によるモニタリングサーバ１０は、通信部１１と、制御部１２と、格納部１３と、出力部１４と、を含んでなり得る。
【００２１】
通信部１１は、電力測定装置１５１、１５２、１５３または外部装置の間の無線または有線通信を可能にするための一つ以上のモジュールを含むことができる。
【００２２】
通信部１１は、ＷＬＡＮ（Ｗｉｒｅｌｅｓｓ  ＬＡＮ）（Ｗｉ‐Ｆｉ）、Ｗｉｂｒｏ（Ｗｉｒｅｌｅｓｓ  ｂｒｏａｄｂａｎｄ）（登録商標）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）（登録商標）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）が用いられる無線インターネットモジュールからなることができる。また、通信部１１は、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅ（登録商標）が用いられる近距離通信モジュール、有線通信モジュールなど、様々な形態からなることができる。通信部１１は、電力測定装置１５１、１５２、１５３のうち少なくとも一つから電力量データを受信することができる。
【００２３】
ここで、電力量データは、電力流入量と、電力消費量と、電力消費パターンと、個別負荷の電力消費パターンと、を含むことができる。
【００２４】
制御部１２は、通信部１１を介して受信する電力測定装置１５１、１５２、１５３の電力量データを用いてシステムの電力をモニタリングすることができる。
【００２５】
具体的に、制御部１２は、電力測定装置１５１、１５２、１５３から受信した電力量データを用いて、電力流入量、電力消費量および電力消費パターンのうち少なくとも一つを取得することができる。
【００２６】
また、制御部１２は、受信した電力量データから個別負荷の電力消費パターンを抽出し、抽出された個別負荷の電力消費パターンを用いて、個別負荷の動作状態および消費電力量を取得することができる。
【００２７】
一方、制御部１２は、ＮＩＬＭ（Ｎｏｎ‐ｉｎｔｒｕｓｉｖｅ  Ｌｏａｄ  Ｍｏｎｉｔｏｒｉｎｇ）アルゴリズムを用いて電力消費パターンを分析することができる。具体的に、制御部１２は、電力測定装置１５１、１５２、１５３から電力量データを受信すると、受信した電力量データをＮＩＬＭ（Ｎｏｎ‐ｉｎｔｒｕｓｉｖｅ  Ｌｏａｄ  Ｍｏｎｉｔｏｒｉｎｇ）アルゴリズムを用いて分析することにより、電力流入量、電力消費量、電力消費パターン、個別負荷の動作状態および個別負荷の消費電力量のうち少なくとも一つを取得することができる。ここで、ＮＩＬＭ（Ｎｏｎ‐ｉｎｔｒｕｓｉｖｅ  Ｌｏａｄ  Ｍｏｎｉｔｏｒｉｎｇ）アルゴリズムとは、電力が供給される特定の地点で測定されたデータを用いて、特定の地点に連結された個別負荷の電力消費量を測定できるアルゴリズムを意味する。
【００２８】
また、制御部１２は、受信した電力量データ、受信した電力量データを分析し取得した結果および当該電力測定装置に関する情報を格納部１３に格納したり、出力部１４を用いて出力することができる。
【００２９】
格納部１３は、制御部１２で実行される電力使用パターンの分析のためのアルゴリズムを格納することができる。格納部１３の例としては、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ラム（Ｒａｎｄｏｍ  Ａｃｃｅｓｓ  Ｍｅｍｏｒｙ、ＲＡＭ）、ＳＲＡＭ（Ｓｔａｔｉｃ  Ｒａｎｄｏｍ  Ａｃｃｅｓｓ  Ｍｅｍｏｒｙ）、ロム（ＲｅａｄＯｎｌｙＭｅｍｏｒｙ）（Ｒｅａｄ‐Ｏｎｌｙ  Ｍｅｍｏｒｙ、ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）、ＰＲＯＭ（Ｐｒｏｇｒａｍｍａｂｌｅ  Ｒｅａｄ‐Ｏｎｌｙ  Ｍｅｍｏｒｙ）、磁気メモリ、磁気ディスク、光ディスクのうち少なくとも一つのタイプの記憶媒体を含むことができる。
【００３０】
出力部１４は、制御部１２の制御に基づいて電力量データの分析結果を映像またはオーディオなどの様々な形態に出力することができる。出力部１４の例としては、ディスプレイ部、音響出力部などを含むことができる。
【００３１】
その他にも、ユーザ入力部（図示せず）を構成することができ、ユーザ入力部の入力に基づいてモニタリングサーバ１０を制御したり、電力流入量、電力消費量、電力消費パターン、個別負荷の動作状態および個別負荷の消費電力量のうち少なくとも一つを出力することができる。
【００３２】
図２に示すように、本発明の実施形態による、電力モニタリングシステムは、外部電力供給源１１０と、分電盤１２０と、負荷１３０と、太陽光発電装置１４０と、を含むことができる。一方、以下、発明の説明では、負荷１３０が電子機器であると説明しているが、これに限定されず、電力の供給を受け消費できるすべての装置を意味し得る。
【００３３】
外部電力供給源１１０は、発電所のような外部電力発電源であり、外部電力供給源１１０から流入される電力は、分電盤１２０を介して宅内電子機器１３０を含む様々な負荷に供給することができる。
【００３４】
分電盤１２０は、外部電力供給源１１０または太陽光発電装置１４０から流入される電力を宅内の電子機器１３０のような様々な負荷に印加されるように分配することができる。
【００３５】
太陽光発電装置１４０は、太陽光モジュール１４１と、制御モジュール１４２と、を含んでなり得る。太陽光発電装置１４０の太陽光モジュール１４１に入射される太陽光エネルギーを制御モジュール１４２で交流電力に変換し分電盤１２０に供給されるようにすることができる。本発明の実施形態では、太陽光発電装置１４０として新・再生可能エネルギー源を例に挙げて説明している。これに限定されず、風力、水力などの様々な新・再生可能エネルギーを発電できる様々な装置から構成することができる。
【００３６】
外部電力供給源１１０の出力端、分電盤１２０の入力端および太陽光発電装置１４０の出力端には、それぞれ電力測定装置１５１、１５２、１５３を連結し構成することができる。
【００３７】
外部電力供給源１１０の出力端に連結される第１電力測定装置１５１は、外部電力供給源１１０から供給される電力量を測定できる少なくとも一つのモジュール構成することができる。
【００３８】
また、第１電力測定装置１５１は、外部電力供給源１１０から流入される電力を宅内電子機器１３０のような複数の負荷に供給する場合に、複数の負荷での全体消費電力量および全体電力の消費パターンを測定できる少なくとも一つのモジュールから構成することができる。
【００３９】
また、第１電力測定装置１５１は、複数の負荷それぞれの電力の消費パターンを測定することができる。かかる複数の負荷それぞれの電力の消費パターンは、以降、ＮＩＬＭ（Ｎｏｎ‐ｉｎｔｒｕｓｉｖｅ  Ｌｏａｄ  Ｍｏｎｉｔｏｒｉｎｇ）アルゴリズムを用いて分析されることにより、複数の負荷それぞれが消費する電力量、複数の負荷それぞれの動作状態情報のうち少なくとも一つを取得するために使用することができる。
【００４０】
分電盤１２０の入力端に連結される第２電力測定装置１５２は、外部電力供給源１１０および太陽光発電装置１４０のうち少なくとも一つから流入される電力を宅内電子機器１３０のような複数の負荷に供給する場合に、複数の負荷での全体消費電力量を測定できる少なくとも一つのモジュールからなり得る。具体的に、第２電力測定装置１５２は、分電盤１２０の入力端に連結され、分電盤１２０から宅内電子機器１３０に分配される第２電力量データを取得することができる。
【００４１】
また、第２電力測定装置１５２は、複数の負荷それぞれの電力の消費パターンを測定することができる。かかる複数の負荷それぞれの電力の消費パターンは、以降、ＮＩＬＭ（Ｎｏｎ‐ｉｎｔｒｕｓｉｖｅ  Ｌｏａｄ  Ｍｏｎｉｔｏｒｉｎｇ）アルゴリズムを用いて分析されることにより、複数の負荷それぞれが消費する電力量、複数の負荷それぞれの動作状態情報および複数の負荷それぞれの電力消費パターン情報のうち少なくとも一つを取得するために使用することができる。
【００４２】
また、太陽光発電装置１４０の出力端に連結される第３電力測定装置１５３は、太陽光発電装置１４０から発電する電力量を測定できる少なくとも一つのモジュール構成することができる。
【００４３】
上述のような電力測定装置１５１、１５２、１５３を含む電力モニタリングシステムの構成に基づき、図３〜図５を参照して、本実施形態による負荷電力モニタリング方法について詳細に説明する。以下、モニタリング方法は、データが収集される手順を限定して説明しているが、これは、データ収集手順とは無関係に、各電力測定装置１５１、１５２、１５３からデータを収集することができる。
【００４４】
図３〜図５は本発明の実施形態による電力モニタリングシステムの電力モニタリング方法を説明するためのフローチャートである。
【００４５】
図３はモニタリングサーバ１０において第１電力測定装置１５１で取得された第１電力量データと、第２電力測定装置１５２で取得された第２電力量データを用いて、電力をモニタリングする方法を説明するフローチャートである。
【００４６】
図３を参照すると、モニタリングサーバ１０は、通信部１１を介して第１電力測定装置１５１、第２電力測定装置１５２から電力量データを収集することができる（Ｓ３１０）。具体的に、モニタリングサーバ１０は、外部電力供給源１１０の出力端に構成される第１電力測定装置１５１から第１電力量データを受信することができる。また、モニタリングサーバ１０は、分電盤１２０入力端に構成される第２電力測定装置１５２から第２電力量データを受信することができる。
【００４７】
一方、図２では、太陽光発電装置１４０の出力端に第３電力測定装置１５３を構成することを例に挙げて説明している。しかしながら、第３電力測定装置１５３の第３電力量データは、第１電力量データおよび第２電力量データにより推定され得ることから、第３電力量データを用いることなく電力をモニタリングすることができる。
【００４８】
モニタリングサーバ１０の制御部１２は、通信部１１を介して収集された第１電力測定装置１５１の第１電力量データを分析することができる（Ｓ３２０）。
【００４９】
この場合、第１電力量データには、外部電力供給源１１０から印加された電力量に関する情報を含むことができる。
【００５０】
また、太陽光発電装置１４０からの供給電流がない場合、第１電力量データには、複数の電子機器１３０の総電力消費量と、複数の電子機器１３０の総電力消費パターンと、個別電子機器の電力消費パターンと、を含むことができる。
【００５１】
モニタリングサーバ１０の制御部１２は、第２電力測定装置１５２から受信した第２電力量データを分析することができる（Ｓ３３０）。
【００５２】
この場合、第２電力量データは、外部電力供給源１１０および太陽光発電装置１４０のうち少なくとも一つから分電盤１２０に印加される電力量に関する情報を含むことができる。
【００５３】
また、第２電力量データは、複数の電子機器１３０の総電力消費量と、複数の電子機器１３０の総電力消費パターンと、個別電子機器の電力消費パターンと、を含むことができる。
【００５４】
一方、モニタリングサーバ１０の制御部１２は、第１電力測定装置１５１で取得した第１電力量データと、第２電力測定装置１５２で取得した第２電力量データを用いて、第３電力測定装置１５３の電力量データを推定し、システムの電力をモニタリングすることができる（Ｓ３４０）。
【００５５】
モニタリングサーバ１０の制御部１２は、第１電力測定装置１５１で取得された第１電力量データおよび第２電力測定装置１５２で取得された第２電力量データに基づいてシステムの電力をモニタリングすることができる。
【００５６】
具体的に、制御部１２は、第１電力測定装置１５１で取得された第１電力量データを用いて、外部電力供給源１１０から印加される電力量を取得することができる。また、制御部１２は、第２電力測定装置１５２で取得された第２電力量データを用いて、複数の電子機器１３０の総電力消費量、個別電子機器が消費する電力量および個別電子機器の動作状態情報のうち少なくとも一つを取得することができる。この場合、ＮＩＬＭ（Ｎｏｎ‐ｉｎｔｒｕｓｉｖｅ  Ｌｏａｄ  Ｍｏｎｉｔｏｒｉｎｇ）アルゴリズムを用いることができる。
【００５７】
制御部１２は、第１電力測定装置１５１の第１電力量データと第２電力測定装置１５２の第２電力量データを用いて、第３電力測定装置１５３の第３電力量データを推定することができる。具体的に、制御部１２は、第１電力測定装置１５１の第１電力量データと第２電力測定装置１５２の第２電力量データとの減算（−）により第３電力測定装置１５３の電力量データを算出することができる。より具体的に、外部電力供給源１１０から流入される電力量（第１電力量データ）と分電盤１２０を介して電子機器１３０で消費した電力量（第２電力量データ）との減算値（−）を算出すると、太陽光発電装置１４０から発電した電力量（第３電力量データ）を算出することができる。
【００５８】
上述のように、制御部１２は、第１電力測定装置１５１および第２電力測定装置１５２それぞれの流入電力量と、消費電力量と、を含む電力量データを確認し、確認された電力量データに基づいて、太陽光発電装置１４０のような新・再生可能エネルギー源に対する発電量を含む第３電力量データを推定することができる。
【００５９】
したがって、制御部１２は、第１電力量データ、第２電力量データ、および第１電力量データと第２電力量データを用いて推定した第３電力量データを用いて、システム全体の電力をモニタリングすることができる。
【００６０】
一方、本実施形態では、第１電力測定装置１５１または第２電力測定装置１５２から電力量データを伝送すると、モニタリングサーバ１０の制御部１２で受信した電力量データを分析し、複数の電子機器１３０の総電力消費量、個別電子機器が消費する電力量および個別電子機器の動作状態情報のうち少なくとも一つを取得すると説明しているが、これに限定されない。
【００６１】
例えば、第１電力測定装置１５１または第２電力測定装置１５２は、取得した電力量データを用いて、直接、複数の電子機器１３０の総電力消費量、個別電子機器が消費する電力量および個別電子機器の動作状態情報のうち少なくとも一つを取得し、取得した情報をモニタリングサーバ１０に伝送することができる。
【００６２】
一方、制御部１２は、第１電力量データ、第２電力量データ、第３電力量データおよび電力量データを用いて取得したモニタリング結果を格納部１３に格納することができる（Ｓ３５０）。
【００６３】
図４はモニタリングサーバ１０において第２電力測定装置１５２で取得された第２電力量データと、第３電力測定装置１５３で取得された第３電力量データを用いて、電力をモニタリングする方法を説明するフローチャートである。
【００６４】
図４を参照すると、モニタリングサーバ１０は、通信部１１を介して電力量データを収集することができる（Ｓ４１０）。具体的に、モニタリングサーバ１０は、分電盤１２０の入力端に構成される第２電力測定装置１５２から第２電力量データを受信することができる。また、モニタリングサーバ１０は、太陽光発電装置１４０の出力端に構成される第３電力測定装置１５３から第３電力量データを受信することができる。
【００６５】
一方、図２では、外部電力供給源１１０の出力端に第１電力測定装置１５１を構成することを例に挙げて説明しているが、第１電力測定装置１５１の第１電力量データは、第２電力量データおよび第３電力量データにより推定され得る。したがって、第１電力量データを用いることなく、電力をモニタリングすることができる。
【００６６】
モニタリングサーバ１０の制御部１２は、通信部１１を介して収集された第２電力測定装置１５２の第２電力量データを分析することができる（Ｓ４２０）。
【００６７】
この場合、第２電力量データは、外部電力供給源１１０および太陽光発電装置１４０のうち少なくとも一つから分電盤１２０に印加される電力量に関する情報を含むことができる。
【００６８】
また、第２電力量データは、複数の電子機器１３０の総電力消費量と、複数の電子機器１３０の総電力消費パターンと、個別電子機器の電力消費パターンと、を含むことができる。
【００６９】
モニタリングサーバ１０の制御部１２は、通信部１１を介して収集された第３電力測定装置１５３の第３電力量データを分析することができる（Ｓ４３０）。
【００７０】
この場合、第３電力量データは、太陽光発電装置１４０から発電する電力量を含むことができる。
【００７１】
一方、モニタリングサーバ１０の制御部１２は、第２電力測定装置１５２で取得した第２電力量データと、第３電力測定装置１５３で取得した第３電力量データを用いて、第１電力測定装置１５１の電力量データを推定し、システムの全体の電力をモニタリングすることができる（Ｓ４４０）。
【００７２】
モニタリングサーバ１０の制御部１２は、第２電力測定装置１５２で取得された第２電力量データおよび第３電力測定装置１５３で取得された第３電力量データに基づいてシステムの電力をモニタリングすることができる。
【００７３】
具体的に、制御部１２は、第２電力測定装置１５２で取得された第２電力量データを用いて、外部電力供給源１１０および太陽光発電装置１４０のうち少なくとも一つから印加される電力量を取得することができる。また、制御部１２は、第２電力測定装置１５２で取得された第２電力量データを用いて、複数の電子機器１３０の総電力消費量、個別電子機器が消費する電力量および個別電子機器の動作状態情報のうち少なくとも一つを取得することができる。また、制御部１２は、第３電力測定装置１５３で取得された第３電力量データを用いて、太陽光発電装置１４０から発電する電力量に関する情報を取得することができる。この場合、ＮＩＬＭ（Ｎｏｎ‐ｉｎｔｒｕｓｉｖｅ  Ｌｏａｄ  Ｍｏｎｉｔｏｒｉｎｇ）アルゴリズムを用いることができる。
【００７４】
また、制御部１２は、第３電力測定装置１５３の第３電力量データと、第２電力測定装置１５２の第２電力量データを用いて、第１電力測定装置１５１の電力量データを推定することができる。
【００７５】
具体的に、制御部１２は、第３電力測定装置１５３の第３電力量データと第２電力測定装置１５２の第２電力量データのとの減算（−）により第１電力測定装置１５１の電力量データを推定することができる。より具体的に、分電盤１２０を介して電子機器１３０で消費した電力量（第２電力量データ）と太陽光発電装置１４０から発電した電力量（第３電力量データ）との減算値を算出すると、外部電力供給源１１０から流入される電力量（第１電力量データ）を算出することができる。
【００７６】
したがって、制御部１２は、第２電力量データ、第３電力量データおよび第２電力量データと第３電力量データを用いて推定した第１電力量データを用いて、システム全体の電力をモニタリングすることができる。
【００７７】
一方、本実施形態では、第２電力測定装置１５２または第３電力測定装置１５３から電力量データを伝送すると、モニタリングサーバ１０の制御部１２で受信した電力量データを分析して、複数の電子機器１３０の総電力消費量、個別電子機器が消費する電力量および個別電子機器の動作状態情報のうち少なくとも一つを取得すると説明しているが、これに限定されない。
【００７８】
例えば、第２電力測定装置１５２または第３電力測定装置１５３は、取得した電力量データを用いて、直接、複数の電子機器１３０の総電力消費量、個別電子機器が消費する電力量および個別電子機器の動作状態情報のうち少なくとも一つを取得し、取得した情報をモニタリングサーバ１０に伝送することができる。
【００７９】
一方、制御部１２は、第１電力量データ、第２電力量データ、第３電力量データおよび電力量データを用いて取得したモニタリング結果を格納部１３に格納することができる（Ｓ４５０）。
【００８０】
図５はモニタリングサーバ１０において第１電力測定装置１５１で取得された第１電力量データ、第２電力測定装置１５２で取得された第２電力量データおよび第３電力測定装置１５３で取得された第３電力量データを用いて電力をモニタリングする方法を説明するフローチャートである。
【００８１】
図５を参照すると、モニタリングサーバ１０は、通信部１１を介して電力量データを収集することができる（Ｓ５１０）。具体的に、モニタリングサーバ１０は、外部電力供給源１１０の出力端に構成される第１電力測定装置１５１から第１電力量データを受信することができる。また、モニタリングサーバ１０は、分電盤１２０の入力端に構成される第２電力測定装置１５２から第２電力量データを受信することができる。また、モニタリングサーバ１０は、太陽光発電装置１４０の出力端に構成される第３電力測定装置１５３から第３電力量データを受信することができる。
【００８２】
一方、モニタリングサーバ１０の制御部１２は、通信部１１を介して収集された第１電力測定装置１５１の第１電力量データ、第２電力測定装置１５２の第２電力量データおよび第３電力測定装置１５３の第３電力量データを分析することができる（Ｓ５２０、Ｓ５３０、Ｓ５４０）。
【００８３】
第１電力測定装置１５１の第１電力量データ、第２電力測定装置１５２の第２電力量データおよび第３電力測定装置１５３の第３電力量データを分析する方法は、図３および図４で説明した方法と同様であるため省略する。
【００８４】
モニタリングサーバ１０の制御部１２は、第１電力測定装置１５１で取得された第１電力量データおよび第２電力測定装置１５２で取得された第２電力量データおよび第３電力測定装置１５３で取得された第３電力量データに基づいて、全体システムの電力をモニタリングすることができる（Ｓ５５０）。
【００８５】
具体的に、制御部１２は、第１電力測定装置１５１で取得された第１電力量データを用いて、外部電力供給源１１０から印加される電力量を取得することができる。また、制御部１２は、第２電力測定装置１５２で取得された第２電力量データを用いて、複数の電子機器１３０の総電力消費量、個別電子機器が消費する電力量および個別電子機器の動作状態情報のうち少なくとも一つを取得することができる。また、制御部１２は、第３電力測定装置１５３で取得された第３電力量データを用いて、太陽光発電装置１４０から印加される電力量を取得することができる。この場合、ＮＩＬＭ（Ｎｏｎ‐ｉｎｔｒｕｓｉｖｅ  Ｌｏａｄ  Ｍｏｎｉｔｏｒｉｎｇ）アルゴリズムを用いることができる。
【００８６】
一方、制御部１２は、第１電力量データ、第２電力量データ、第３電力量データおよび電力量データを用いて取得したモニタリング結果を格納部１３に格納することができる（Ｓ５６０）。
【００８７】
このように、本実施形態は、第１電力測定装置１５１、第２電力測定装置１５２および第３電力測定装置１５３を用いて、外部電力供給源１１０からの供給電力量、太陽光発電装置から供給される電力量、複数の電子機器１３０の総電力消費量、個別電子機器が消費する電力量、個別電子機器の動作状態情報などを全て把握することができる。したがって、電力の生産および消費に対する総合的なモニタリングを可能にする。
【００８８】
また、本実施形態は、第１電力測定装置１５１および第３電力測定装置１５３のいずれか一つが存在しなくても、外部電力供給源１１０からの供給電力量や新・再生可能エネルギー源１４０から生産される電力量に対する推定が可能であることから、第１電力測定装置１５１および第３電力測定装置１５３のいずれか一つの故障や修理に関係なく、電力の生産および消費に対する総合的なモニタリングを可能にする。
【００８９】
また、本実施形態は、第１電力測定装置１５１、第２電力測定装置１５２および第３電力測定装置１５３を全て用いることにより、誤差を最小化してシステム内の電力をモニタリングすることができる。
【００９０】
図６は本発明の他の実施形態による電力モニタリングシステムのブロック構成図である。
【００９１】
図６を参照すると、本発明の他の実施形態による電力モニタリングシステムは、モニタリングサーバ１０と、外部電力供給源１１０と、分電盤１２０と、電子機器１３０と、太陽光発電装置１４０と、を含む。特に、外部電力供給源１１０、分電盤１２０および太陽光発電装置１４０の出力端または入力端には、前記装置に流入または出力される電力量データを取得するための電力測定装置１６１、１６２、１６３を含んで構成することができる。
【００９２】
太陽光発電装置１４０は、太陽光モジュール１４１と、制御モジュール１４２と、を含んでなり得る。太陽光発電装置１４０の太陽光モジュール１４１に入射される太陽光エネルギーを制御モジュール１４２で交流電力に変換することができる。また、太陽光発電装置１４０は、分電盤１２０の出力端に連結され、変換した交流電力を分電盤１２０を介して複数の電子機器１３０に供給することができる。
【００９３】
分電盤１２０は、外部電力供給源１１０から流入される電力を宅内の電子機器１３０のような様々な負荷に印加されるように分配することができる。また、太陽光発電装置１４０から供給される交流電力は、分電盤１２０を介して電子機器１３０のような様々な負荷に印加することができる。
【００９４】
外部電力供給源１１０の出力端、分電盤１２０の入力端および太陽光発電装置１４０の出力端には、それぞれ電力測定装置１６１、１６２、１６３を連結して構成することができる。
【００９５】
外部電力供給源１１０の出力端に連結される第１電力測定装置１６１は、外部電力供給源１１０から供給される電力量を測定できる少なくとも一つのモジュールから構成することができる。
【００９６】
また、第１電力測定装置１６１は、外部電力供給源１１０から流入される電力を宅内電子機器１３０のような複数の負荷に供給する場合に、複数の負荷での全体消費電力量を測定できる少なくとも一つのモジュールから構成することができる。
【００９７】
また、第１電力測定装置１６１は、複数の負荷それぞれの電力の消費パターンを測定することができる。かかる複数の負荷それぞれの電力の消費パターンは、以降、ＮＩＬＭ（Ｎｏｎ‐ｉｎｔｒｕｓｉｖｅ  Ｌｏａｄ  Ｍｏｎｉｔｏｒｉｎｇ）アルゴリズムを用いて分析されることにより、複数の負荷それぞれが消費する電力量、複数の負荷それぞれの動作状態情報のうち少なくとも一つを取得するために使用することができる。
【００９８】
分電盤１２０の入力端に連結される第２電力測定装置１６２は、外部電力供給源１１０から流入される電力を宅内電子機器１３０のような複数の負荷に供給する場合に、複数の負荷での全体消費電力量を測定できる少なくとも一つのモジュールから構成することができる。
【００９９】
また、第２電力測定装置１６２は、複数の負荷それぞれの電力の使用パターンを測定することができる。 かかる複数の負荷それぞれの電力の使用パターンは、以降、ＮＩＬＭ（Ｎｏｎ‐ｉｎｔｒｕｓｉｖｅ  Ｌｏａｄ  Ｍｏｎｉｔｏｒｉｎｇ）アルゴリズムを用いて複数の負荷それぞれが消費する電力量、複数の負荷それぞれの動作状態情報および複数の負荷それぞれの電力消費パターン情報のうち少なくとも一つを取得するために使用することができる。
【０１００】
また、太陽光発電装置１４０の出力端に連結される第３電力測定装置１５３は、太陽光発電装置１４０から発電する電力量を測定できる少なくとも一つのモジュールから構成することができる。
【０１０１】
上述のような電力測定装置１６１、１６２、１６３を含む電力モニタリングシステムの構成に基づき、図７〜図９を参照して一実施形態による負荷電力モニタリング方法について詳細に説明する。以下、モニタリング方法は、データが収集される手順を限定して説明しているが、これは、データ収集手順とは無関係に、各電力測定装置１６１、１６２、１６３からデータを収集することができる。
【０１０２】
図７〜図９は本発明の他の実施形態による負荷電力モニタリングシステムが適用される負荷電力モニタリング動作のフローチャートである。
【０１０３】
図７はモニタリングサーバ１０において第２電力測定装置１６２で取得された第２電力量データ、第３電力測定装置１６３で取得された第３電力量データを用いて、電力をモニタリングする方法を説明するフローチャートである。
【０１０４】
図７を参照すると、モニタリングサーバ１０は、通信部１１を介して電力量データを収集することができる（Ｓ７１０）。具体的に、モニタリングサーバ１０は、外部電力供給源１１０の出力端に構成される第１電力測定装置１６１から第１電力量データを受信することができる。また、モニタリングサーバ１０は、太陽光発電装置１４０の出力端に構成される第３電力測定装置１６３から第３電力量データを受信することができる。
【０１０５】
一方、図６では、外部電力供給源１１０の出力端に第１電力測定装置１６１を構成することを例に挙げて説明した。しかしながら、第１電力測定装置１６１の第１電力量データは、第２電力量データおよび第３電力量データにより推定され得ることから、第１電力量データを用いることなく、電力をモニタリングすることができる。
【０１０６】
モニタリングサーバ１０の制御部１２は、通信部１１を介して収集された第２電力測定装置１６２の第２電力量データを分析することができる（Ｓ７２０）。
【０１０７】
この場合、第２電力量データは、外部電力供給源１１０から分電盤１２０に印加される電力量に関する情報を含むことができる。
【０１０８】
また、第２電力量データは、複数の電子機器１３０の総電力消費量と、複数の電子機器１３０の総電力消費パターンと、個別電子機器の電力消費パターンと、を含むことができる。
【０１０９】
モニタリングサーバ１０の制御部１２は、通信部１１を介して収集された第３電力測定装置１６３の第３電力量データを分析することができる（Ｓ７３０）。
【０１１０】
この場合、第３電力量データは、太陽光発電装置１４０から発電し電子機器１３０に印加される電力量を含むことができる。
【０１１１】
一方、モニタリングサーバ１０の制御部１２は、第２電力測定装置１６２で取得した第２電力量データと、第３電力測定装置１６３で取得した第３電力量データを用いて、第１電力測定装置１６１の電力量データを推定し、システムの全体の電力をモニタリングすることができる（Ｓ７４０）。
【０１１２】
モニタリングサーバ１０の制御部１２は、第２電力測定装置１６２で取得された第２電力量データおよび第３電力測定装置１６３で取得された第３電力量データに基づいてシステムの電力をモニタリングすることができる。
【０１１３】
具体的に、制御部１２は、第２電力測定装置１６２で取得された第２電力量データを用いて、外部電力供給源１１０から印加される電力量を取得することができる。また、制御部１２は、第２電力測定装置１６２で取得された第２電力量データを用いて、複数の電子機器１３０の総電力消費量、個別電子機器が消費する電力量および個別電子機器の動作状態情報のうち少なくとも一つを取得することができる。この場合、ＮＩＬＭ（Ｎｏｎ‐ｉｎｔｒｕｓｉｖｅ  Ｌｏａｄ  Ｍｏｎｉｔｏｒｉｎｇ）アルゴリズムを用いることができる。
【０１１４】
また、制御部１２は、第３電力測定装置１６３で取得された第３電力量データを用いて、太陽光発電装置１４０から発電する電力量に関する情報を取得することができる。
【０１１５】
また、制御部１２は、第３電力測定装置１６３の第３電力量データおよび第２電力測定装置１６２の第２電力量データを用いて、第１電力測定装置１６１の電力量データを推定することができる。より具体的に、第２電力量データに含まれた複数の電子機器１３０が消費した電力量と、第３電力量データに含まれた太陽光発電装置１４０から発電した電力量との減算値を算出すると、外部電力供給源１１０から流入される電力量、すなわち、第１電力量データを推定することができる。
【０１１６】
したがって、制御部１２は、第２電力量データ、第３電力量データおよび第２電力量データと第３電力量データを用いて推定した第１電力量データを用いて、システム全体の電力をモニタリングすることができる。
【０１１７】
一方、制御部１２は、第１電力量データ、第２電力量データ、第３電力量データおよび電力量データを用いて取得したモニタリング結果を格納部１３に格納することができる（Ｓ７５０）。
【０１１８】
図８はモニタリングサーバ１０において第１電力測定装置１６１で取得された第１電力量データと、第３電力測定装置１６３で取得された第３電力量データを用いて、電力をモニタリングする方法を説明するフローチャートである。
【０１１９】
図８を参照すると、モニタリングサーバ１０は、通信部１１を介して電力量データを収集することができる（Ｓ８１０）。具体的に、モニタリングサーバ１０は、外部電力供給源１１０の出力端に構成される第１電力測定装置１６１から第１電力量データを受信することができる。また、モニタリングサーバ１０は、太陽光発電装置１４０の出力端に構成される第３電力測定装置１６３から第３電力量データを受信することができる。
【０１２０】
一方、図６では、分電盤１２０の入力端に第２電力測定装置１６２を構成することを例に挙げて説明しているが、第２電力測定装置１６２の第２電力量データは、第１電力量データおよび第３電力量データにより推定され得ることから、第２電力量データを用いることなく、電力をモニタリングすることができる。
【０１２１】
モニタリングサーバ１０の制御部１２は、通信部を介して収集された第１電力測定装置１６１の第１電力量データを分析することができる（Ｓ８２０）。
【０１２２】
この場合、第１電力量データには、外部電力供給源１１０から印加された電力量に関する情報を含むことができる。
【０１２３】
また、第１電力量データには、複数の電子機器１３０の総電力消費量と、複数の電子機器１３０の総電力消費パターンと、個別電子機器の電力消費パターンと、を含むことができる。
【０１２４】
モニタリングサーバ１０の制御部１２は、第３電力測定装置１６３から受信した第３電力量データを分析することができる（Ｓ８３０）。
【０１２５】
この場合、第３電力量データは、太陽光発電装置１４０から発電する電力量を含むことができる。
【０１２６】
一方、モニタリングサーバ１０の制御部１２は、第１電力測定装置１６１で取得した第１電力量データと、第３電力測定装置１６３で取得した第３電力量データを用いて、第２電力測定装置１６２の電力量データを推定し、システムの電力をモニタリングすることができる（Ｓ８４０）。
【０１２７】
モニタリングサーバ１０の制御部１２は、第１電力測定装置１６１で取得された第１電力量データおよび第３電力測定装置１６３で取得された第３電力量データに基づいてシステムの電力をモニタリングすることができる。
【０１２８】
具体的に、制御部１２は、第１電力測定装置１６１で取得された第１電力量データを用いて、外部電力供給源１１０から印加される電力量を取得することができる。また、制御部１２は、第１電力測定装置１６１で取得された第１電力量データを用いて、複数の電子機器１３０の総電力消費量、個別電子機器が消費する電力量および個別電子機器の動作状態情報のうち少なくとも一つを取得することができる。また、制御部１２は、第３電力測定装置１６３で取得された第３電力量データを用いて、太陽光発電装置１４０から発電する電力量に関する情報を取得することができる。この場合、ＮＩＬＭ（Ｎｏｎ‐ｉｎｔｒｕｓｉｖｅ  Ｌｏａｄ  Ｍｏｎｉｔｏｒｉｎｇ）アルゴリズムを用いることができる。
【０１２９】
一方、制御部１２は、第１電力測定装置１６１の第１電力量データと、第３電力測定装置１６３の第３電力量データを用いて、第２電力測定装置１６２の電力量データを推定することができる。より具体的に、第１電力量データに含まれた外部電力供給源１１０から流入される電力量（第１電力量データ）と第３電力量データに含まれた太陽光発電装置１４０から発電した電力量（第３電力量データ）との合算値を算出すると、分電盤１２０から電子機器１３０に分配される電力量を算出することができる。
【０１３０】
したがって、制御部１２は、第１電力量データ、第３電力量データ、および第１電力量データと第３電力量データを用いて推定した第２電力量データを用いて、システム全体の電力をモニタリングすることができる。
【０１３１】
一方、制御部１２は、第１電力量データ、第２電力量データ、第３電力量データおよび電力量データを用いて取得したモニタリング結果を格納部１３に格納することができる（Ｓ８５０）。
【０１３２】
図９はモニタリングサーバ１０において第１電力測定装置１６１で取得された第１電力量データ、第２電力測定装置１６２で取得された第２電力量データおよび第３電力測定装置１６３で取得された第３電力量データを用いて電力をモニタリングする方法を説明するフローチャートである。
【０１３３】
図９を参照すると、モニタリングサーバ１０は、通信部１１を介して電力量データを収集することができる（Ｓ９１０）。具体的に、モニタリングサーバ１０は、外部電力供給源１１０の出力端に構成される第１電力測定装置１６１から第１電力量データを受信することができる。また、モニタリングサーバ１０は、分電盤１２０入力端に構成される第２電力測定装置１６２から第２電力量データを受信することができる。また、モニタリングサーバ１０は、太陽光発電装置１４０の出力端に構成される第３電力測定装置１６３から第３電力量データを受信することができる。
【０１３４】
一方、モニタリングサーバ１０の制御部１２は、通信部１１を介して収集された第１電力測定装置１６１の第１電力量データ、第２電力測定装置１６２の第２電力量データおよび第３電力測定装置１６３の第３電力量データを分析することができる（Ｓ９２０、Ｓ９３０、Ｓ９４０）。
【０１３５】
第１電力測定装置１６１の第１電力量データ、第２電力測定装置１６２の第２電力量データおよび第３電力測定装置１６３の第３電力量データを分析する方法は、図７および図８で説明した方法と同様であるため省略する。
【０１３６】
モニタリングサーバ１０の制御部１２は、第１電力測定装置１６１で取得された第１電力量データおよび第２電力測定装置１６２で取得された第２電力量データおよび第３電力測定装置１６３で取得された第３電力量データに基づいて全体システムの電力をモニタリングすることができる（Ｓ９５０）。
【０１３７】
具体的に、制御部１２は、第１電力測定装置１６１で取得された第１電力量データを用いて、外部電力供給源１１０から印加される電力量を取得することができる。また、制御部１２は、第２電力測定装置１６２で取得された第２電力量データを用いて、複数の電子機器１３０の総電力消費量、個別電子機器が消費する電力量および個別電子機器の動作状態情報のうち少なくとも一つを取得することができる。また、制御部１２は、第３電力測定装置１６３で取得された第３電力量データを用いて、太陽光発電装置１４０から印加される電力量を取得することができる。この場合、ＮＩＬＭ（Ｎｏｎ‐ｉｎｔｒｕｓｉｖｅ  Ｌｏａｄ  Ｍｏｎｉｔｏｒｉｎｇ）アルゴリズムを用いることができる。
【０１３８】
一方、制御部１２は、第１電力量データ、第２電力量データ、第３電力量データおよび電力量データを用いて取得したモニタリング結果を格納部１３に格納することができる（Ｓ９６０）。
【０１３９】
このように、本実施形態は、第１電力測定装置１６１、第２電力測定装置１６２および第３電力測定装置１６３を用いて、外部電力供給源１１０からの供給電力量、太陽光発電装置から供給される電力量、複数の電子機器１３０の総電力消費量、個別電子機器が消費する電力量、個別電子機器の動作状態情報などを全て把握することができることから、電力の生産および消費に対する総合的なモニタリングを可能にする。
【０１４０】
また、本実施形態は、第１電力測定装置１６１および第２電力測定装置１６２のいずれか一つが存在しなくても、外部電力供給源１１０からの供給電力量や新・再生可能エネルギー源１４０から生産される電力量に対する推定が可能である。したがって、第１電力測定装置１６１および第２電力測定装置１６２のいずれか一つの故障や修理に関係なく、電力の生産および消費に対する総合的なモニタリングを可能にする。
【０１４１】
また、本実施形態は、第１電力測定装置１６１、第２電力測定装置１６２および第３電力測定装置１６３を全て用いることにより、誤差を最小化しシステム内の電力をモニタリングすることができる。
【０１４２】
図１１は本発明の実施形態による電力モニタリング結果出力動作のフローチャートであり、図１２は本発明の実施形態による電力モニタリング結果出力の例示図である。
【０１４３】
図１１および図１２を参照して、本発明の実施形態によりモニタリングサーバ１０の格納部１３に格納された電力モニタリング結果を出力するための動作について詳細に説明する。
【０１４４】
図１１および図１２を参照すると、モニタリングサーバ１０の制御部１２は、本発明の一実施形態、他の実施形態およびさらに他の実施形態により測定および取得され格納部１３に格納されたモニタリング結果の出力要請信号を検知することができる（Ｓ１１１０）。出力要請信号は、ユーザ入力部（図示せず）を介して入力されたり、遠隔地の端末などから有線または無線で受信することができる。
【０１４５】
モニタリングサーバ１０の制御部１２は、格納部１３に格納されたモニタリング結果を抽出し（Ｓ１１２０）、図１２と同様なグラフ、数値、テキストなどの様々な様相で電力量データを表示することができる（Ｓ１１３０）。図１２は電子機器、新・再生可能エネルギー源１４０の消費電力量または充電量に関する情報を図示したものである。その例としては、Ａ〜Ｃは家電機器１３０の電力量の例であり、Ｄは新・再生可能エネルギー源１４０の電力量の例である。家電機器の電力量の場合、ＮＩＬＭ分析に求められる電力量データが取得されるに伴い電力量の周期を短く示すことができる。
【０１４６】
本発明の実施形態では、外部電力供給源１１０、分電盤１２０、電子機器１３０および太陽光発電装置１４０でそれぞれ電力量データを測定したり推定するための動作を順に説明しているが、上述の電力量データを推定したり測定するための動作手順は限定されず、様々な形態に可変され実行することができる。
【０１４７】
本発明の実施形態による電力モニタリングシステムおよびその電力モニタリング方法によれば、従来の外部電力供給源以外にも新・再生可能エネルギー源１４０が加えられた場合に、負荷に供給される電力に対する消費状態および新・再生可能エネルギー源１４０の電力生産状態を総合的にモニタリングできるという効果がある。
【０１４８】
以上、好ましい実施形態について図示し説明しているが、本発明の技術的思想は、上述の特定の実施形態に限定されず、請求の範囲で請求する本発明の要旨から逸脱することなく、当該発明が属する技術分野において通常の知識を有する者により様々な変形実施が可能であることは言うまでもなく、かかる変形実施は、本発明の技術的思想や展望から個別に理解してはならない。
【符号の説明】
【０１４９】
１０  ：モニタリングサーバ（サーバ）
１１０：外部電力供給源
１２０：分電盤
１３０：家電機器、電子機器（負荷）
１４０：太陽光発電装置（再生可能エネルギー源）
１５１：第１電力測定装置
１５２：第２電力測定装置
１５３：第３電力測定装置
１６１：第１電力測定装置
１６２：第２電力測定装置
１６３：第３電力測定装置
【図１】
0006404285.tif 000002
【図２】
0006404285.tif 000003
【図３】
0006404285.tif 000004
【図４】
0006404285.tif 000005
【図５】
0006404285.tif 000006
【図６】
0006404285.tif 000007
【図７】
0006404285.tif 000008
【図８】
0006404285.tif 000009
【図９】
0006404285.tif 000010
【図１０】
0006404285.tif 000011
【図１１】
0006404285.tif 000012
【図１２】
0006404285.tif 000013